(57)【要約】【課題】    表示面積の大きい、且つ、美観の優れた看板を提供する。【解決手段】      枠体２は正面側及び背面側に両肩をパネル受け部２１、２１として配した断面略凸形状の部材を用い、突部２ａを外周側に配して枠組みするとともに、突部２ａに押え板固定部２２、２２を設けてあり、表示パネル３は枠体２側に開口して表示面３ａを底面とする箱型としてあり、押え板４は枠体固定部４１とパネル押え部４２とを有して枠体２の押え板固定部２２に枠体固定部４１を固定するものであり、表示パネル３は開口縁部３１を枠体２のパネル受け部２１と押え板のパネル押え部４２とで挟持するとともに、枠体２及び押え板４より外周側に突出する膨出部３２を全周にわたって設けてあり、且つ、開口縁部３１を内周側に凹む凹溝状としてある。【選択図】        図１
2005292541.tif 000002
【特許請求の範囲】
【請求項１】
枠体と正面及び背面の表示パネルと押え板とを備え、
枠体は正面側及び背面側に両肩をパネル受け部として配した断面略凸形状の部材を用い、突部を外周側に配して枠組みするとともに、突部に押え板固定部を設けてあり、
表示パネルは枠体側に開口して表示面を底面とする箱型としてあり、
押え板は枠体固定部とパネル押え部とを有して枠体の押え板固定部に枠体固定部を固定するものであり、
表示パネルは開口縁部をパネル受け部とパネル押え部とで挟持するとともに、枠体及び押え板より外周側に突出する膨出部を開口縁の表示面側全周にわたって設けてあることを特徴とする看板。
【請求項２】
表示パネルの開口縁部を内周側に凹む凹溝状としてあることを特徴とする請求項１に記載の看板。
【発明の詳細な説明】
【技術分野】
【０００１】
本発明は、例えば社名表示や広告宣伝表示用として好適な看板に関するものである。
【背景技術】
【０００２】
従来、上記した看板の構造として、例えば特許文献１の如く、外周枠にコ字部を設けて広告面板（看板）を外周枠のコ字部に嵌入するようにしたものが知られている。
【特許文献１】実公平６−４３８２５号公報
【発明の開示】
【発明が解決しようとする課題】
【０００３】
ところが、例えば上記した特許文献1の広告面板（看板）では、外周枠があることによって看板の表示面積を小さくしてしまい、また、外周部に枠が見えることによって看板としての美観を損ねているという問題があり、こうした問題を解決することが従来の課題となっていた。
【課題を解決するための手段】
【０００４】
請求項１に記載の看板は、枠体と正面及び背面の表示パネルと押え板とを備え、枠体は正面側及び背面側に両肩をパネル受け部として配した断面略凸形状の部材を用い、突部を外周側に配して枠組みするとともに、突部に押え板固定部を設けてあり、表示パネルは枠体側に開口して表示面を底面とする箱型としてあり、押え板は枠体固定部とパネル押え部とを有して枠体の押え板固定部に枠体固定部を固定するものであり、表示パネルは開口縁部をパネル受け部とパネル押え部とで挟持するとともに、枠体及び押え板より外周側に突出する膨出部を開口縁の表示面側全周にわたって設けてある構成を前述した従来の課題を解決するための手段としている。
【０００５】
本発明の請求項２に記載の看板は、上記した請求項１の構成に加えて表示パネルの開口縁部を内周側に凹む凹溝状とした構成としている。
【発明の効果】
【０００６】
本発明の請求項１に係わる看板において、表示パネルが枠体及び押え板より外周側に突出する膨出部を開口縁の表示面側全周にわたって設けてあることによって、枠体及び押え板は表示パネルの開口縁の外周線よりも内側に配置されることとなるので、枠体及び押え板が表示パネルの膨出部に隠されて正面側及び背面側からは見えなくなる、或いは、目立ち難くなるから表示パネルの有効表示面積を最大限に活用することができるとともに意匠的にも枠体によって美観を損なわれることがないという効果を有する。
【０００７】
本発明の請求項２に係わる看板において、上記した請求項１の効果に加えて、表示パネルの開口縁部を内周側に凹む凹溝状としてあるので、表示パネルの開口縁部を枠体のパネル受け部と押え板のパネル押え部とで挟持するに際してパネル押え部が表示パネルの開口縁部の凹溝状の底部に当接して開口縁部を挟持するように設けることによって表示パネルが枠体からより抜け落ち難くする効果が得られ、且つ、溝状部を設けてあることによって外部から看板内部に浸入しようとする雨水などの浸入を溝状部で完全に阻止することができるという効果が得られる。
【発明を実施するための最良の形態】
【０００８】
以下、本発明の第一実施形態を図面に基づいて説明する。
【０００９】
図１〜図３は本発明の第一実施形態に係る看板を示すものであり、図３において本発明の第一実施形態の看板１を躯体の壁面Ｗに取り付けた状態を表わす全体外観の斜視図として示している。図２は同じく第一実施形態の看板１を躯体の壁面Ｗに取り付けた状態の全体を正面図、平面断面図（Ａ−Ａ線断面図）、側面断面図（Ｂ−Ｂ線断面図）の三面図様式で示したものである。図１は図２の看板１のＣ−Ｃ線拡大図であり、第一実施形態の看板１の構造の要部を表わしており、破線部は看板１の組み立て又は分解時における表示パネル３の動きを示している。
【００１０】
図１に示す如く、本発明の第一実施形態の看板１は枠体２と正面及び背面の表示パネル３、３と正面側及び背面側の押え板４、４とを備えている。枠体２は正面側及び背面側に突条状の両肩をパネル受け部２１、２１として配した断面略凸形状の部材を用い、突部２ａを外周側に配して図２の正面図に示した表示パネル３の外形より一回り小さい角丸型に枠組みするとともに、突部２ａに押え板固定部２２を設けてある。押え板４は枠体固定部４１とパネル押え部４２とを有して枠体２の押え板固定部２２に枠体固定部４１をねじ止め固定するものであり、図示しないが上面用と下面用と両側面用（壁面Ｗ側用とその対辺用）とに分割してある。表示パネル３は透光性の樹脂材料を成形して枠体２側に開口して表示面３ａを底面とする箱型としたものを用いており、開口縁部３１を枠体２のパネル受け部２１と押え板４のパネル押え部４２とで挟持するものである。加えて、表示パネル３は枠体２の突部２ａの外周側面及び押え板４の外周側面より外周側に全周にわたって突出する膨出部３２を設けてある。また、表示パネル３の開口縁部３１は内周側に凹む凹溝状としてある。
【００１１】
上記の如く設けた本発明の第一実施形態の看板１は図２及び図３に示す如く正面外観を角丸型に形成した枠体２の正面及び背面両面に表示パネル３、３を取り付けて、枠体２を躯体の壁面Ｗに固定したものであり、枠体２の内部には照明装置（蛍光灯）Ｌを水平方向に取り付けてある。枠体２は躯体の壁面Ｗに取付ブラケット７を介してねじ止め固定してあり、照明装置への電源は取付ブラケット７の内部から配線して供給している。また、枠体２は補助的に振れ止め８を取り付けて正面側及び背面側方向を固定する事によって看板１が強風に吹き飛ばされないように補強してある。
【００１２】
以下に図示はしないが本発明の第一実施形態の看板１の設置施工手順を説明する。始めに看板1本体の組み立て手順であるが、先ず作業用の木枠上に枠体２の背面側を載置して寝かせ、枠体２の内部に照明装置Ｌを組み付ける。次に、枠体２の壁面Ｗ側の突部２ａの内周側面に補強金具９を配置し、枠体２の壁面Ｗ側の突部２ａの外周側面に設けた押え板固定部２２、２２に壁面Ｗ側用の押え板４、４の枠体固定部４１、４１を配置した上で、これらを覆うように枠体２の壁面Ｗ側の外周面の所定位置にブラケット止め金具（図示略）を配置し、これらを枠体２にねじ止め固定し、次いで枠体２の正面側に設けたパネル受け部２１の外周面背面側（突部２ａ側）に全周にわたって軟質樹脂製のタイト材６を巻き付けておく。次にこの状態で正面側の表示パネル３を枠体２の正面側のパネル受け部２１の四周に嵌め込む訳であるが、先ず、正面側の表示パネル３の壁面Ｗ側の開口縁部３１を図１に破線部で示した如く枠体２の正面側において壁面Ｗ側のパネル受け部２１と壁面Ｗ側の押え板４のパネル押え部４２との隙間に正面側の表示パネル３の壁面Ｗ側の開口縁部３１を挿入し、次いで、この表示パネル３を壁面Ｗ側のパネル受け部２１を支点にするように回転させながら枠体２のパネル受け部２１の外周面に嵌め込むことによって、正面側の表示パネル３を枠体２の所定位置（正面側）に配置できる。更に、上記の通り所定位置に配置した表示パネルを固定するために壁面Ｗ側以外の残る３面（上面、下面及び壁面Ｗの対辺）用の正面側の押え板４、４、４をパネル３の開口縁部３１の外周面に沿って全周を覆うように成形しておき、押え板４のパネル押え部４２で表示パネル３の開口縁部３１の外周側を押えながら枠体固定部４１を枠体２の押え板固定部２２にねじ止め固定し、同様に開口縁部３１の外周側各面すべてに順次残る押え板４、４を取り付ける事によって正面側の表示パネル３がしっかりと枠体２に固定されることとなる。次に、こうして組み付けた正面側の表示パネル３を下面側に向けて作業用の木枠上に寝かせて載置し、上記した正面側の表示パネル３の取り付けと全く同様の手順で背面側の表示パネル３を枠体２に固定する。
【００１３】
次に、上記した通りに組み立てた本発明の第一実施形態の看板１を躯体の壁面Ｗの所定位置に取り付ける手順を簡単に説明する。本発明の看板１を躯体の壁面Ｗに取り付けるに際しては先ず、壁面Ｗへの取付位置に電源配線をし、水平垂直を確認して電源配線を内蔵するように取付ブラケット７を壁面Ｗにねじ止め固定する。次いで、上記のとおり組み立てた看板１の照明設備Ｌ用の電気配線を取付ブラケット７に内蔵した電気配線に繋ぎ込み、上記した枠体２への表示パネル３の組み付け時に最初の工程で枠体２に取り付けたブラケット止め金具の位置を取付ブラケット７の所定位置に合わせてねじ止め固定すれば看板１の壁面Ｗへの取り付けが完了する。
【００１４】
上記のようにして取り付けた看板１の照明設備Ｌの修繕・交換やパネルの取り替えなどを行う場合は、上記した組み付けとは逆の手順で看板１を壁面Ｗから取り外して作業しやすい場所に降ろし、ブラケット止め金具（図示略）を取り付けた面以外の残る３面（上面、下面及び壁面Ｗの対辺）で表示パネルを固定している押え板４を取り外し、次いで表示パネル３を壁面Ｗ側のパネル受け部２１を支点にするように回転させながら取り外せば必要なメンテナンス作業を容易に遂行することができる。
【００１５】
本発明の第一実施形態の看板１では、表示パネル３は枠体２の突部２ａの外周側面及び押え板４の外周側面より外周側に全周にわたって突出する膨出部３２を設けてあるから、正面側及び背面側から見ると枠体２が膨出部３２に隠れて見えなくなり、表示パネル３の表示面積を最大限に生かすとともに意匠的にも枠体２によって美観を損なわれることがない。そして、表示パネル３の開口縁部３１を内周側に凹む凹溝状としてあるので、表示パネル３の開口縁部３１を枠体２のパネル受け部２１と押え板４のパネル押え部４２とで挟持すると、表示パネルが枠体から抜け落ちる事がないという効果が得られ、且つ、溝状部を設けてあることによって外部から看板内部に雨水などが浸入し難くなるという効果が得られる。更に加えて、本発明の第一実施形態の看板１では枠体２の正面側に設けたパネル受け部２１の外周面背面側（突部２ａ側）に全周にわたって軟質樹脂製のタイト材６を巻き付けておくことによって枠体２と表示パネル３との間の水密性を完全に確保しているので、看板１の内部への雨水などの浸入を防止し、看板１の内部（表示パネル３の内面）に結露水がついて意匠性を損ねたり、照明装置Ｌの電気配線などに悪影響を及ぼしたりすることがない。
【００１６】
本発明は、上述した実施の形態に限らず、本発明の趣旨を逸脱しない範囲で種々の変更が可能である。例えば、看板の外形は上記したような角丸型に限るものでなく、直方型や丸型の看板にも適用できる。押え板は枠材の正面側と背面側とに分離したタイプの場合を説明したが、正面側及び背面側の押え板を一体として枠体突部の外周面に枠体固定部を固定するものであっても良い。上記した実施形態においてはタイト材を用いて看板内部への雨水などの浸入を完全に封鎖したものを例示したが、目的によってはタイト材を用いずに施工してあっても良い。看板の枠体内部に照明装置（蛍光灯）を取り付けた場合を例示したが、照明装置の種類や取付方向は上記した実施形態に限定されるものでなく、また、照明装置の無いものであっても良い。本発明の看板を取り付ける支持体は上記した実施形態では壁面である場合を例示したが、これに限定されるものではなく、また、本発明の看板を固定するための取り付けブラケットの形態や振れ止めの有無、形態も上記した実施形態に限定されるものではない
【図面の簡単な説明】
【００１７】
【図１】図２に示した第一実施形態の看板のＣ−Ｃ線拡大図である。
【図２】第一実施形態の看板の正面図、平面（Ａ−Ａ線）断面図及び左側面（Ｂ−Ｂ線）断面図である。
【図３】図２に示した看板の取り付け状態を表わす外観斜視図である。
【符号の説明】
【００１８】
１    看板
２    枠体
２ａ  突部
２１  パネル受け部
２２  押え板固定部
３    表示パネル
３ａ  表示面
３１  開口縁部
３２  膨出部
４    押え板
４１  枠体固定部
４２  パネル押え部
Ｗ    躯体壁面
【図１】
2005292541.tif 000003
【図２】
2005292541.tif 000004
【図３】
2005292541.tif 000005